(57)【要約】      （修正有）【課題】センサーや工具によって計時器にアクセスできるような計時器のパッケージング箱を提供する。【解決手段】腕時計のパッケージング箱１はトレー３０を備える基礎２０と、蓋１０とを有し、蓋１０は、基礎２０と相補的な形態で連係してパッケージング箱１を閉じる。トレー３０には、腕時計を受けるコンパートメントがあり、底部とパーティションによって境界を定められる。パッケージング箱１は、各コンパートメント内でセンタリングされた、閉ポジションにて、蓋１０によって腕時計に押し付けられる弾性パッドを有する。パッケージング箱１には、各コンパートメントにて、コンパートメントを占めている腕時計に対して腕時計のテスト及び時間合わせ方法を実行するデバイスにあるセンサー又は工具を通すためのメイン開口７がある。各弾性パッドには、メイン開口７と整列しておりセンサー又は工具が腕時計にアクセスするための第２の開口がある。【選択図】図１
2018205303.tif 000002
【特許請求の範囲】
【請求項１】
計時器用のパッケージング箱（１）であって、
少なくとも１つの取り外し可能なトレー（３０）を内側にて保持するように構成している基礎（２０）と、及び当該パッケージング箱（１）を閉じるように前記基礎（２０）と相補的な形態で連係するように構成している少なくとも１つの蓋（１０）とを外側にて有し、
前記トレー（３０）にはそれぞれ、計時器（１０００）を受ける少なくとも１つの内側コンパートメント（２）があり、
前記コンパートメント（２）は、底部（３）と辺縁パーティション（５）によって境界が定められ、
当該パッケージング箱（１）は、前記コンパートメント（２）のそれぞれにおいて、前記コンパートメント（２）の内側にてセンタリングされ、かつ、当該パッケージング箱（１）が閉じているときには前記蓋（１０）によって計時器（１０００）に押し付けられるように構成している少なくとも１つの弾性パッド（６）を有し、
当該パッケージング箱（１）には、前記コンパートメント（２）のそれぞれにおいて、前記コンパートメント（２）を占める計時器（１０００）にセンサー又は工具がアクセスすることを可能にするように構成している少なくとも１つの貫通しているメイン開口（７）があり、
前記弾性パッド（６）には、前記メイン開口（７）と整列状態で連係するように構成している少なくとも１つの第２の開口（８）があり、
これによって、前記コンパートメント（２）を占める計時器（１０００）へと前記センサー又は工具がアクセスすることが可能になる
ことを特徴とするパッケージング箱（１）。
【請求項２】
前記基礎（２０）には、押し付け及び／又はクランプによって前記取り外し可能なトレー（３０）のそれぞれにある相補的な面（３１）と係合するように構成している支え面（２１）がある
ことを特徴とする請求項１に記載のパッケージング箱（１）。
【請求項３】
当該パッケージング箱（１）は、前記基礎（２０）と前記蓋（１０）において、前記弾性パッド（６）のそれぞれが圧縮状態となるように前記底部（３@）に前記蓋（１０）を押し付けるように構成している閉じ手段（４０）を有する
ことを特徴とする請求項１に記載のパッケージング箱（１）。
【請求項４】
当該パッケージング箱（１）は、外側に、空間における当該パッケージング箱（１）のポジションと向きを定める複数のインデックス付け要素（１１）を有している
ことを特徴とする請求項１に記載のパッケージング箱（１）。
【請求項５】
当該パッケージング箱（１）は、外側に、自動生産手段を用いて当該パッケージング箱を保持し動かすための複数のグリップ手段（１２）を有する
ことを特徴とする請求項１に記載のパッケージング箱（１）。
【請求項６】
当該パッケージング箱（１）は、外側に、当該パッケージング箱（１）の識別のため、及び／又は空間における当該パッケージング箱（１）のポジショニングのため、及び／又は当該パッケージング箱（１）に収容された物の識別のための少なくとも１つのアイデンティフィケーション要素（１３）を有する
ことを特徴とする請求項１に記載のパッケージング箱（１）。
【請求項７】
当該パッケージング箱（１）は、外側に、当該パッケージング箱（１）の識別のため、及び／又は空間における当該パッケージング箱（１）のポジショニングのため、及び／又は当該パッケージング箱（１）に収容された物の識別のための少なくとも１つのアイデンティフィケーション要素（１３）を有し、
前記アイデンティフィケーション要素（１３）の少なくとも１つは、前記グリップ手段（１２）に対して少なくとも１つの基準向きを定める
ことを特徴とする請求項５に記載のパッケージング箱（１）。
【請求項８】
当該パッケージング箱（１）には、気体状流体及び／又は液体の流れが当該パッケージング箱（１）の外側と内側の間にて通ることを可能にする少なくとも１つの貫通開口（１４）がある
ことを特徴とする請求項１に記載のパッケージング箱（１）。
【請求項９】
前記蓋（１０）には、前記コンパートメント（２）それぞれの直接上にて、前記弾性パッド（６）をクランプして保持するように構成している上側ハウジング（１５）が形成されている
ことを特徴とする請求項１に記載のパッケージング箱（１）。
【請求項１０】
前記蓋（３０）には、前記コンパートメント（２）それぞれの直接下にて、前記弾性パッド（６）をクランプして保持するように構成している下側ハウジング（１５）が形成されている
ことを特徴とする請求項１に記載のパッケージング箱（１）。
【請求項１１】
前記閉じ手段（４０）は、前記基礎（２０）と一体化されており、かつ、前記蓋（１０）と一体化された少なくとも１つの上側閉じ要素（４１）と相補的な形態にて連係するように構成している少なくとも１つの下側閉じ要素（４２）を有する
ことを特徴とする請求項３に記載のパッケージング箱（１）。
【請求項１２】
前記下側閉じ要素（４２）のそれぞれは、前記閉ポジションにおいて、前記上側閉じ要素（４１）とクリップフィット状態となるように係合するように構成している
ことを特徴とする請求項１１に記載のパッケージング箱（１）。
【請求項１３】
前記基礎（２０）は、前記トレー（３０）のそれぞれにある相補的な簡単化ポジショニング要素（３８、３９）と相補的な形態で連係するように構成している少なくとも１つの簡単化ポジショニング要素（２８、２９）を有しており、これによって、前記基礎（２０）に対して前記トレー（３０）が固有な相対的向きとなることを確実にする
ことを特徴とする請求項１に記載のパッケージング箱（１）。
【請求項１４】
前記基礎（２０）には、当該パッケージング箱（１）から前記トレー（３０）を取り外すための少なくとも１つの工具を通すことを可能にするように構成している少なくとも１つの通路（２７）がある
ことを特徴とする請求項１に記載のパッケージング箱（１）。
【請求項１５】
前記基礎（２０）は、前記トレー（３０）それぞれの辺縁舌部（３６）にある下側リム（３５）に対する低い支え面を形成するように構成している低い辺縁リブ（２５）を有しており、
前記トレー（３０）の上側リム（３２）は、前記基礎（２０）にある高い辺縁リブ（２６）からセットバックを残すように構成している
ことを特徴とする請求項１に記載のパッケージング箱（１）。
【請求項１６】
少なくとも前記高い辺縁リブ（２６）又は前記低い辺縁リブ（２５）は、当該パッケージング箱（１）が別のパッケージング箱（１）に積み重なるように、前記高い辺縁リブ（２６）又は前記低い辺縁リブ（２５）の反対側にて、別の同一な基礎（２０）にある辺縁面（２３）と連係するように構成している
ことを特徴とする請求項１５に記載のパッケージング箱（１）。
【請求項１７】
前記トレー（３０）はそれぞれ、側方支持ブロック（３７）に支えられるようにして、別の同一なトレー（３０）に積み重なることができる
ことを特徴とする請求項１に記載のパッケージング箱（１）。
【請求項１８】
各蓋（１０）には、その蓋を同じタイプの別の蓋（１０）の上に積み重ねるために構成している足部（１７）があり、その蓋は、その別の蓋（１０）の前記弾性パッド（６）とは接触せず、
前記足部（１７）にはそれぞれ、前記積み重ねのときに反対側の相補的な上側面（４１２）に支えられるように構成している下側面（４１１）がある
ことを特徴とする請求項１に記載のパッケージング箱（１）。
【請求項１９】
計時器のテスト及び／又は時間合わせのためのデバイス（１００）であって、
請求項１に記載のパッケージング箱（１）の少なくとも１つを操作するように構成している少なくとも１つのマニピュレーター（１０１）を有し、
前記マニピュレーター（１０１）は、少なくとも１つのセンサー（１０２）及び／又は工具（１０３）を有し、
このセンサー（１０２）及び／又は工具（１０３）は、前記メイン開口（７）の少なくとも１つ及び同じ前記コンパートメント（２）において前記メイン開口（７）と整列している前記第２の開口（８）の少なくとも１つを通して挿入されるように構成しており、かつ、前記コンパートメント（２）内に収容された計時器（１０００）に対して測定及び／又は調整を行うように構成している
ことを特徴とするデバイス（１００）。
【請求項２０】
前記マニピュレーター（１０１）は、前記少なくとも１つのパッケージング箱（１）にあるコンパートメント（２）の数と同じ数のセンサー（１０２）及び／又は工具（１０３）を有する
ことを特徴とする請求項１９に記載のデバイス（１００）。
【請求項２１】
前記マニピュレーター（１０１）は、異なる物理的条件の下で、異なるテスト及び／又はクロノメーターの時間合わせのポジションにある前記パッケージング箱（１）をそれぞれ操作するように構成しており、かつ、前記パッケージング箱（１）によって占められる異なるポジションにおいて又は前記パッケージング箱（１）が異なる運動を行うときに、空間における前記パッケージング箱（１）の運動、及びテスト及び／又は時間合わせのオペレーションの持続時間を制御するように構成している制御手段（１１０）を有する
ことを特徴とする請求項１９に記載のデバイス。
【請求項２２】
当該デバイス（１００）は、前記基礎（２０）に対して蓋（１０）を開いたり閉じたりするように構成しており、これによって、磁場テスト、及び／又は圧力／圧力低下テストのオペレーション、及び／又は耐水性テストのオペレーション、及び／又はエッチングのオペレーション、及び／又は洗浄のオペレーションを行う
ことを特徴とする請求項１９に記載のデバイス（１００）。
【請求項２３】
計時器（１０００）のテスト及び／又は時間合わせを行う方法であって、
開ポジションにある請求項１に記載のパッケージング箱（１）を用意し、
前記パッケージング箱（１）の前記トレー（３０）の前記コンパートメント（２）内であって前記コンパートメント（２）内にてセンタリングされた前記弾性パッド（６）の少なくとも１つの下に、前記弾性パッド（６）の前記第２の開口（８）が前記メイン開口（７）と整列しているように、前記計時器（１０００）を配置し、
前記弾性パッド（６）のそれぞれを圧縮する前記パッケージング箱（１）の前記蓋（１０）を閉じることによって前記底部（３）に前記計時器（１０００）を直接的又は間接的に押し付け、
空間における異なるポジションにおいて前記パッケージング箱（１）を操作し、
前記メイン開口（７）を通して挿入されたセンサー（１０２）及び／又は工具（１０３）によって、前記計時器（１０００）のテスト及び／又は時間合わせのオペレーションの少なくとも１つを行う
ことを特徴とする方法。
【請求項２４】
請求項２０に記載のデバイス（１００）を実装することによって前記パッケージング箱（１）を操作する
ことを特徴とする請求項２３に記載の方法。
【請求項２５】
請求項２１に記載のデバイス（１００）を実装することによって異なるテスト及び／又はクロノメーターの時間合わせのポジションにある前記パッケージング箱（１）を操作し、
前記ポジションのそれぞれにおいて、前記計時器（１０００）のテスト及び／又は時間合わせを行う
ことを特徴とする請求項２３に記載の方法。
【請求項２６】
前記計時器のそれぞれが同じ前記パッケージング箱（１）の１つのコンパートメント（２）に収容されるようにして、複数の計時器（１０００）のテスト及び／又は時間合わせを同時に行う
ことを特徴とする請求項２３に記載の方法。
【発明の詳細な説明】
【技術分野】
【０００１】
本発明は、計時器用のパッケージング箱であって、少なくとも１つの取り外し可能なトレーを内側にて保持するように構成している基礎と、及び当該パッケージング箱を閉じるように前記基礎と相補的な形態で連係するように構成している少なくとも１つの蓋とを外側にて有しているものに関する。前記トレーにはそれぞれ、計時器を受ける少なくとも１つの内側コンパートメントがあり、前記コンパートメントは、底部と辺縁パーティションによって境界が定められる。当該パッケージング箱は、前記コンパートメントのそれぞれにおいて、前記コンパートメントの内側にてセンタリングされ、かつ、当該パッケージング箱が閉じているときには前記蓋によって計時器に押し付けられるように構成している少なくとも１つの弾性パッドを有する。
【０００２】
また、本発明は、このようなデバイスが備え、このような箱を操作するように構成している少なくとも１つのマニピュレーターを有する計時器のテスト及び／又は時間合わせを行うデバイスに関する。
【０００３】
本発明は、さらに、計時器のテスト及び／又は時間合わせを行う方法に関する。
【０００４】
本発明は、計時器、特に、腕時計、「腕時計の本体（watch heads)」ないし機械式計時器用ムーブメント、のテスト又は時間合わせを行う分野に関する。
【背景技術】
【０００５】
計時器、特に、腕時計、又は「腕時計の本体（watch heads)」ないし機械式計時器用ムーブメント、のテスト及び時間合わせを行うためには、特に、機構がクロノメーター認証のために必要な異なるポジションで、かつ、可能な限り着用時に近い状態でテストされるようなクロノメーター検査のためのテスト及び時間合わせを行うためには、その物を何回も取り扱う必要がある。クロノメーターのテスト及び時間合わせは、耐水性、磁場、衝撃、温度の影響などの他のテストによって補助されて行われることが多い。
【０００６】
したがって、テストされる機構を保護しつつ、これらのテストとチェックが信頼できる手法で実行されることを確実にすることが重要となる。これは、商品の追跡可能性、及び当該物と実行される任意のテスト及び調整の間のリンクを確実にしつつ、可能であれば、自動化された観測を可能にし、調整やマーキングによって補助されることを可能にするようにして行う。
【０００７】
信頼性と生産性は両方ともに満足するようにできるものであり、したがって、時計の生産においては、可能な限り高度な自動化をしつつ、最先端の工具を用いる操作にも適合していなければならない。
【発明の概要】
【発明が解決しようとする課題】
【０００８】
本発明は、特に、最終テスト及び時間合わせのオペレーションの間に、前記のような計時器の完全な中間的なパッケージングを可能にし、当該機構に接触して行う介在又は当該機構の近傍における介在を可能にするような手段を提供することを提案するものである。
【課題を解決するための手段】
【０００９】
このために、本発明は、請求項１に記載の計時器用パッケージング箱に関する。
【００１０】
本発明は、また、このような箱を少なくとも１つ操作するように構成している少なくとも１つのマニピュレーターを有する請求項１７に記載の計時器のテスト及び／又は時間合わせを行うデバイスに関する。
【００１１】
本発明は、さらに、請求項２３に記載の計時器のテスト及び／又は時間合わせを行う方法に関する。
【００１２】
添付の図面を参照しながら下記の詳細な説明を読むことで、本発明の他の特徴及び利点を理解できるであろう。
【図面の簡単な説明】
【００１３】
【図１】計時器用パッケージング箱についての概略斜視図である。これは、基礎にある端開口を通して見ることができるトレーを収容している基礎を下側部分に有する。このトレーは、箱が閉じたポジションにおいて、上側部分にある蓋によって動けなくされており、基礎にスナップフィットしている。蓋には、トレーにおけるコンパートメントに配置された計時器へのアクセスを可能とするように意図された複数のメイン開口がある。基礎と蓋の外側の側部は、リブのようなインデックス付け要素又はセンタリング要素を有し、ここではバーコードを含むものである異なるアイデンティフィケーション要素を有する。
【図２】基礎と蓋のみによって作られたアセンブリーについての上側から見た概略斜視図である。
【図３】図２と同じアセンブリーについての図２と同様な形態の下側から見た概略斜視図である。
【図４】同じアセンブリーについての蓋にある２つのメイン開口を通り抜ける図２の断面Ａ−Ａに沿った概略断面図である。
【図５】同じアセンブリーについての箱閉じ手段を通り抜ける図２の断面Ｂ−Ｂに沿った概略断面図である。
【図６】蓋についての上側から見た概略斜視図である。
【図７】蓋についての下側から見た概略斜視図である。
【図８】同じ蓋についての箱閉じ手段を通り抜ける図６の断面Ｃ−Ｃに沿った概略断面図である。
【図９】同じアセンブリーについての蓋にある２つのメイン開口を通り抜ける図６の断面Ｄ−Ｄに沿った概略断面図である。
【図１０】図１の箱に入っている弾性パッドのセットについての上側から見た概略斜視図である。この弾性パッドのセットは、蓋によってトレーのコンパートメントに配置された計時器に対して押し付けられるように構成しており、各弾性パッドには、蓋のメイン開口と整列するように意図された第２の開口がある。
【図１１】この弾性パッドのセットを装備した蓋についての上側から見た概略斜視図である。この弾性パッドは、蓋にある保持手段に取り付けられている。これによって、蓋がいくつかの足部の上にて安定配置されつつ平面上に配置されるときに、弾性パッドがこの平面から一定距離離れる状態を維持する。これらの足部は上側閉じ手段も形成する。
【図１２】図１の箱にあるトレーについての上側から見た概略斜視図である。これにおいて、分離された各コンパートメントには、異なるマーキングがあり、このトレーには、基礎に支持されるために辺縁舌部があり、さらに、側方にて、簡単化ポジショニング要素と、及び側方支持ブロックとを有する。
【図１３】箱の基礎についての上側から見た概略斜視図である。この基礎にも簡単化ポジショニング要素が設けられ、異なる高さの２つのリブを境界としている。この基礎の底部には、必要であれば基礎とトレーを分離するための工具のための通路を形成するオブロング状の溝がある。
【図１４】同じ基礎についての下側から見た概略部分的斜視図である。
【図１５】同じ基礎についての２つのインデックス付け要素を通り抜ける図１４の断面Ｅ−Ｅに沿った概略断面図である。
【図１６】基礎に挿入された図１２のトレーについての概略平面図である。このトレーは、その各コンパートメントにおいて、相補的な保持手段によって適切なポジションにロックされている、ここでは腕時計の本体（watch heads)である、計時器を収容している。
【図１７】図１の箱についての箱閉じ手段を通り抜ける概略断面図である。
【図１８】腕時計の本体（watch heads)が入っている同じ箱についての図１７と同様な形態の図であり、センサー又は工具が、腕時計の本体（watch heads)の上にて整列している蓋にあるメイン開口と弾性パッドにある第２の開口を通して、腕時計の本体（watch heads)に直接アクセスしている様子を示している。
【図１９】同じ構成の図１８の箱についての部分的に切られた斜視図である。腕時計の本体（watch heads)は、そのそれぞれが弾性パッドによってカバーされているために見ることができない。この箱は、センサー又は工具を挿入する準備ができている状態である。
【図２０】センサー又は調整工具を有するこのような箱や頭部を操作するデバイスについての概略斜視図である。
【図２１】このような箱及びこのデバイスによって実装される計時器のチェック及び／又は調整の方法のいくつかの主なステップについてのブロック図である。
【発明を実施するための形態】
【００１４】
本発明は、計時器１０００用のパッケージング箱１に関する。ここで、「計時器」とは、腕時計ないし腕時計の本体（watch heads)、又は計時器用ムーブメント、特に、機械式ムーブメント、計時器用部品、又は任意の同様なアセンブリー、のことを意味している。
【００１５】
この箱１は、外側にて、一方では、少なくとも１つの取り外し可能なトレー３０を内側に保持するように構成している基礎２０を有し、他方では、基礎２０と相補的な形態で連係して箱１を閉じるように構成している少なくとも１つの蓋１０を有する。
【００１６】
トレー３０はそれぞれ、計時器１０００を受けるために少なくとも１つの内側コンパートメント２を有する。このコンパートメント２は、トレー３０の一部を形成する底部３と、及びトレー３０の一部を形成する辺縁パーティション５とによって境界が定められる。この辺縁パーティション５は、特定の図示していない変種において、取り外し可能であることができる。
【００１７】
箱１は、各コンパートメント２内において、コンパートメント２内にてセンタリングされ箱１が閉じているときに蓋１０によってコンパートメント２内に配置された計時器１０００に押し付けられるように構成している少なくとも１つの弾性パッド６を有する。
【００１８】
この弾性パッド６は、対応する計時器１０００に接するように直接安定配置されるように選ばれ、計時器１０００の形と完全に合致し計時器１０００を適切なポジションにロックするように変形するように構成している。変種の１つにおいて、この弾性パッドには、接触面に表面フィルムが設けられる。
【００１９】
好ましいことに、この弾性パッド６は、良好な音のアイソレーションを与えるように選ばれた材料で作られており、これによって、近くの計時器１０００を妨害せずに特定の計時器１０００のレートをマイクロホンによってテストすることができるようにしている。特に、弾性パッド６は、フレキシブルなフォーム状のテクスチャを有する。
【００２０】
同じ弾性パッド６が、任意の大きさの任意の幅の様々な計時器１０００を適切なポジションにロックすることができる。
【００２１】
この弾性パッド６は、本発明にとって重要であり、したがって、空のときにその初期の厚みに戻らないようになったり、厚み寸法が不十分であったり、裂けたりするような劣化の兆候が現れたりしたときには、すぐに交換しなければならない。このために、本発明に係る箱１の実装には、箱１内にある弾性パッド６をサイクルの間中に頻繁にチェックすることを伴う。好ましいことに、蓋１０は、蓋１０が形成する上側ハウジング１５にて、蓋１０に対して各弾性パッド６を保持するように構成している保持手段６０を有する。この保持手段６０は、蓋１０とともに製造され、例えば、プラスチック射出成形によって作られ、弾性パッド６がすべてのポジションにおいて保存されることを確実にするフックの形又は同様な形を有することができる。したがって、サイクルの間に弾性パッド６をチェックすることが容易になる。なぜなら、このチェックを単に、すべての弾性パッド６を備える蓋１０に対して、高さチェック、特に、光学的なチェック、によって行うことができるからである。なお、これに限定されない。
【００２２】
特に、蓋１０は、各コンパートメント２の直接上に、弾性パッド６をクランプして保持するように構成している上側ハウジング１５を形成しており、この上側ハウジング１５は、保持手段６０を形成したり、保持手段６０によって補助されたりすることができる。
【００２３】
本発明によると、箱１には、各コンパートメント２において、センサー又は工具がコンパートメント２を占めている計時器１０００にアクセスすることができるように構成している少なくとも１つのメイン貫通開口７がある。
【００２４】
図示した好ましい実施形態に示すように、このメイン貫通開口７が蓋１０にあるように構成していることができるが、基礎２０にあるように構成していることもできる。
【００２５】
また、弾性パッド６にはそれぞれ、少なくとも１つの第２の開口８があり、これは、メイン開口７と整列状態にて連係するように構成しており、これによって、このようなセンサー又は工具が、コンパートメント２を占める計時器１０００にアクセスできるようになる。
【００２６】
図面に示した本発明においては、上側弾性パッド６が蓋１０側にあるように描かれている。なお、本発明の変種の１つにおいては、トレー３０の底部３側にある下側弾性パッドによって機能させることができ、あるいは各計時器１０００の両側にある上側弾性パッド６と下側弾性パッドの両方によっても機能させることができる。このような場合、特に、トレー３０には、各コンパートメント２の直接下にて、弾性パッド６をクランプして保持するように構成している下側ハウジングが形成されるようにすることができる。
【００２７】
特に、基礎２０には、押し付け及び／又はクランプによって各取り外し可能なトレー３０にある相補的な表面３１と係合するように構成している支え面２１がある。図示している特定の実施形態において、支え面２１は、基礎２０にある中央リブ２２のすべての側面によって形成されており、相補的な面３１は、トレー３０にある中空リブ３３の内側の側面によって形成されている。特に、支え面２１と相補的な面３１の幾何学的構成、及び基礎２０とトレー３０の材料は、少しつまむことによって支え面２１と相補的な面３１が連係するように選ばれる。図示した特定の変種では、基礎２０には、少なくとも１つの通路２７があり、この通路２７は、箱２０とトレー３０がくっついたときに箱２０からトレー３０を取り外すための少なくとも１つの工具を通すことを可能にするように構成している。
【００２８】
特に、弾性パッド６を閉じてクランプするために、箱１は、閉じ手段４０を有する。この閉じ手段４０は、基礎２０と蓋１０にて構成しており、各弾性パッド６が圧縮された状態にて底部３に蓋１０を押し付ける。図示している特定の実施形態において、閉じ手段４０は、基礎２０と一体化された少なくとも１つの下側閉じ要素４２を有する。この下側閉じ要素４２は、蓋１０と一体化された少なくとも１つの上側閉じ要素４１、特に、クリップ４０１、と相補的な形態で連係するように構成している。この特定の例において、下側閉じ要素４２は、上側閉じ要素４１とクリップフィットによって係合する。このことは、自動化されたマニピュレーターによる開き／閉じを容易にするために有利である。
【００２９】
自動化された操作を可能にするために、箱１は、外側に複数のインデックス付け要素１１を有しており、これによって、空間における箱１のポジション及び向きを定める。図示しているように、これらのインデックス付け要素１１は、基礎２０と蓋１０の両方に配置されており、これによって、基礎２０単独、蓋１０単独、又は組み立てられた箱１全体、の自動化された操作が可能になる。好ましいことに、基礎２０及び／又は蓋１０がプラスチック射出成形される実施形態において、これらのインデックス付け要素１１は、その材料のための射出開口に対応する。また、これらのインデックス付け要素１１は、接着結合、圧入、ねじ、溶接などによって、ラベル、ターゲット、ピンのような機械加工又は追加される要素であることができる。
【００３０】
特に、箱１は、外側に、自動化された生産手段によって箱を保持し動かす複数のグリップ手段１２を有する。これらのグリップ手段１２は、リブ、較正された空欠部などによって形成することができる。
【００３１】
箱１は、好ましいことに、外側に、箱１の識別、及び／又は空間における箱１のポジショニング、及び／又は箱１に収容された商品の識別のための、少なくとも１つのアイデンティフィケーション要素１３を有する。特に、各アイデンティフィケーション要素１３には、バーコードのようなマーキングがある。アイデンティフィケーション要素１３の符号化は、必ずしも光学的なものではなく、アイデンティフィケーション要素１３は、ＲＦＩＤチップなどによって形成されていることができる。特に、箱１は、いくつかのアイデンティフィケーション要素１３、１３Ａ、１３Ｂ、１３Ｃ、１３Ｄ．．．，を有する。これらは、少なくとも部分的に、異なるコーディング領域において、箱１の異なる側面を識別するために異なっている。特に、相補的な形態で、基礎２０は、少なくとも１つの簡単化ポジショニング要素２８及び第２の簡単化ポジショニング要素２９を有し、これらはそれぞれ、各トレー３０にある第１の相補的な簡単化ポジショニング要素３８又は第２の相補的な簡単化ポジショニング要素３９と相補的な形態で連係して、基礎２０に対してトレー３０が固有な相対的な向きとなることを確実にするように構成している。このようにして、箱１の外側でのコーディングによって、箱１が備えるトレー３０のポジションを完全に識別する。この点に関して、単一のトレー３０を用いる場合に基づいて本発明を説明しているが、本発明の異なる変種が可能である。特に、互いに並置された、基礎２０の長さや幅よりも小さな長さや幅のトレー３０を用いることができる。
【００３２】
箱１の部品の組み立てを促進させるために、基礎２０には、好ましいことに、小さなわずかに傾斜した突出した隆起部分２６０があり、これは、蓋１０の材料をわずかに押し戻し、蓋１０が離れるように動かして、これによって、蓋１０の挿入を促進させるように構成している。これらの隆起部分２６０は、非常に小さな寸法を有する。例えば、１０個の計時器部品又は腕時計を収容することができる箱１に対して、幅が１ｍｍのオーダーであり、傾斜が１ｍｍのオーダーであり、傾斜の長さが数ｍｍのオーダーである。これらの小さな隆起部分は、辺縁部、例えば、簡単化ポジショニング要素上かつ箱の端部、にて分布している。これらの隆起部分のいくつかは、好ましいことに、インデックス付け円錐体によって形成されている。
【００３３】
当然、アイデンティフィケーション要素１３は、純粋に幾何学的な整列マーク及び／又はポジションマークを有することができる。また、箱１の異なる側にて異なる形態で、インデックス付け要素１１を配置することができる。また、これらの機械加工部分１１のいくつかは、その差別化を確実にするために閉じていることができる。
【００３４】
好ましくは、少なくとも１つのアイデンティフィケーション要素１３及び／又はインデックス付け要素１１の群は、グリップ手段１２に対して少なくとも１つの基準向きを定める。
【００３５】
特に、箱１には、少なくとも１つの貫通開口１４、特に、流体口、があり、これによって、クリーニング、温度設定、耐水性テスト又は他の機能のために、箱１の外側と内側の間にて気体状流体及び／又は液体の流れを通すことが可能になる。この貫通開口１４は、基礎２０及び／又は蓋１０に形成されていることができる。また、このような貫通開口１４を、箱１内に収容されたトレー３０によって支えられた識別子を読み取ったり、又は機械的なグリッパー、工具、センサーなどを通したりするためにも用いることができる。図面には、このような貫通開口１４が基礎２０の最も小さな側面にあるものを示している。
【００３６】
箱１は、好ましいことに、積み重なるように設計されている。すなわち、箱１全体どうしが積み重なり、かつ、箱１の様々な部品が同じタイプの他の部品と積み重なる。これによって、相当に大きな空間を節約することができる。
【００３７】
図示しているような特定の実施形態において、基礎２０には、低い辺縁リブ２５があり、これは、各トレー３０の辺縁舌部３６の下側リム３５のための低い支え面を形成するように構成している。同じトレー３０の上側リム３２は、セットバックを残すように、又は基礎２０にある高い辺縁リブ２６と同一平面上にあるように、構成している。
【００３８】
特に、少なくとも高い辺縁リブ２６又は低い辺縁リブ２５は、辺縁面２３と連係するように構成している。この辺縁面２３は、別の同一な基礎２０の高い辺縁リブ２６又は低い辺縁リブ２５に対向して、基礎２０を別の基礎の上に積み重ねる。
【００３９】
同様に、特に、各トレー３０を、側方支持ブロック３７上に安定配置されるように、別の同一なトレー３０上に積み重ねることができ、箱１は、スタックの最も上のトレー３０をカバーし閉じるように構成している少なくとも１つのカバーを有する。また、変種の１つにおいて、これらの側方支持ブロック３７を基礎２０のボスに対する止め支持体として用いることもできる。
【００４０】
好ましいことに、トレー３０には、各コンパートメント２ごとにマーキング３４がある。例えば、図示しているような数字である。好ましいことに、このようにして、所与のトレー３０の異なるコンパートメント２は、例えば、トレー３０と一体的になるように射出された数字によって、個々が識別される。このことによって、タイミング調整ループに送るなどのために計時器の１つを取り除かなければならないときに、マニピュレーター又はオペレーターによる識別が容易になる。
【００４１】
変種の１つにおいて、フォームのような少なくとも１つの付加的な支持体６１がハウジング２を占めて、計時器１０００を持ち上げて、計時器１０００のポジションを定めることができる。
【００４２】
同様に、特に、各蓋１０には足部１７があり、この足部１７は、その蓋１０を同じタイプの他の蓋１０の上に、その他の蓋１０の弾性パッド６と接触せずに、積み重ねるように構成している。実際に、計時器１０００と直接接触するように意図された弾性パッド６の表面が、塵埃、流体のような任意の汚染から保護されることは重要である。そして、各足部１７には下側面４１１があり、この下側面４１１は、前記のような積み重ねのときに、反対側の相補的な上側面４１２上に支えられるように構成している。好ましいことに、これらの相補的な上側面４１２と蓋１０の大きな上側面の間の連結面は、止めポジションにおける正確なポジショニングのために、スタックの最も上の蓋の足部１７を滑らせて、これらの足部１７をわずかに離すように構成している半径を有する。図示した特定の実施形態において、これらの足部は上側閉じ要素４１も形成する。
【００４３】
同様に、基礎２０は、蓋の足部１７がクリップインされる前にその蓋の足部１７の挿入を促進するように構成している半径２７０を有することができる。
【００４４】
好ましいことに、各足部１７は、その最も広い面において二等辺の台形の形をしており、蓋１０に取り付けられている箇所よりも遠端において狭くなっている。これによって、図１のポジションにおいて、蓋１０が基礎２０にクリップされているときに、基礎２０にある、平行ないし傾斜した面によって、広いノッチに対する長手方向のセンタリング機能を果たす。したがって、組み立てられた蓋１０と基礎２０の一方の側にあるインデックス付け要素１１及び／又はグリップ手段１２は、完全に整列し、取り扱うマニピュレーターが最小のすきまで動作することができる。
【００４５】
特定の実施形態において、箱１の部品はすべて、特に、射出成形によって、ポリプロピレンなどのプラスチック材料によって作られ、これによって、幾何学的な品質が再現可能であることを確実にする。少なくとも基礎２０と蓋１０は、例えば、自動的な超音波式の洗浄システムによって、定期的に洗浄されるように設計されている。また、トレー３０は、この種の洗浄によっても恩恵を享受する。弾性部品６は、洗浄も再利用もされない。これらの弾性部品６は、周期的に測定され、計時器１０００がコンパートメント２内にて適切に保持されるような厚みがあることが確実でなければ、又は磨耗、裂け又は汚染の兆候が観察されると、不合格とされるような摩耗部品である。
【００４６】
本発明は、さらに、計時器のテスト及び時間合わせのためのデバイス１００に関する。このデバイス１００は、少なくとも１つのマニピュレーター１０１を有する。これは、特に、デバイス１００にある少なくとも１つのグリッパー１０５によって、少なくとも１つの前記のような箱１を操作するように構成している。このようなマニピュレーター１０１又はグリッパー１０５は、各箱１のグリップ手段１２、及び／又はインデックス付け要素１１のすべて又は一部、と連係するように構成している。
【００４７】
したがって、デバイス１００は、好ましいことに、アイデンティフィケーション要素１３から情報を集めて、それに応じて各マニピュレーター１０１を動かすように構成している検出手段１０９を有する。
【００４８】
特に、マニピュレーター１０１は、少なくとも１つのセンサー１０２及び／又は工具１０３を有し、これは、同じコンパートメント２における、少なくとも１つのメイン開口７及びそのメイン開口７と整列した第２の開口８を通るように挿入されるように構成しており、また、コンパートメント２内に収容された計時器１０００の測定及び／又は調整を行うように構成している。
【００４９】
特に、センサー１０２は、マイクロホン、カメラ又は接触振動センサーである。
【００５０】
特に、工具１０３は、機械式、磁気式又は他の工具である。
【００５１】
特に、マニピュレーター１０１は、箱１にあるコンパートメント２の数と同じ数のセンサー１０２及び／又は工具１０３を有する。特に、マニピュレーター１０１は、空間におけるすべての着用ポジション、そして、クロノメーターのテストのための通常のポジションだけでなく空間における他の任意の現実的なポジション、をシミュレーションすることができる多軸ロボットである。構成に依存して、同じマニピュレーター１０１、又は好ましいことに別の隣接したマニピュレーター１０４は、これらの様々なセンサー１０２又は工具１０３を備える頭部を有する端アームを有しており、これによって、特定の箱１内にあるすべての計時器１０００に対して同時に作用させることが可能になる。このようにして、このようなマニピュレーター１０１又は１０４は、行われるテストに依存して、センサー１０２を装備した頭部、工具１０３を装備した頭部、又はセンサー１０２と工具１０３の両方を装備した組み合わさった頭部などを実装することができる。
【００５２】
特に、マニピュレーター１０１は、以下のような異なる物理的条件の下で、少なくとも異なるテスト及び／又はクロノメーターの時間合わせのポジションにて、各箱１を操作するように構成している。すなわち、異なる温度、異なる湿度レベル、異なる圧力又は圧力低下、振動環境、気体又は液体の流れなどの条件である。もちろん、これらのオペレーションは、特定のポジションであるときだけではなく、空間における異なるポジションの間のプログラムされた運動を行っているときにも行うことができる。
【００５３】
マニピュレーター１０１は、制御手段１１０を有しており、この制御手段１１０は、各箱１が異なるポジションにあるとき及び／又は箱１に異なる運動が与えられたとき、のテスト及び／又は時間合わせのオペレーションの持続時間に加えて、空間におけるマニピュレーター１０１の運動、を制御するように構成している。もちろん、マニピュレーター１０１は、一度にいくつかの箱１を操作するように構成していることもできる。
【００５４】
特に、デバイス１００は、操縦手段を有しており、これは、基礎２０に対して蓋１０を開いたり閉じたりして、磁場テスト、及び／又は圧力／圧力低下のテストのオペレーション、及び／又は耐水性テストのオペレーション、及び／又はエッチングのオペレーション、及び／又は洗浄のオペレーション又は他のオペレーションを行うように構成している。この操縦手段は、マニピュレーター１０１又は１０４、又は他の自動化された操作手段であることができる。
【００５５】
デバイス１００は、好ましいことに、箱１のアイデンティフィケーション要素１３を読み取る手段と、及びインデックス付け要素１１の空間におけるポジションを検出する手段とを有する。したがって、マニピュレーター１０１は、箱１、箱１のポジション、箱１の中身に関連する情報をすべて有しており、制御手段１１０は、好ましくは、生産管理手段とインタフェースされるように構成しており、これによって、箱１とその中身の追跡可能性を確実にする。
【００５６】
また、本発明は、計時器１０００のテスト及び／又は時間合わせを行う方法に関し、この方法において、
−（２００）開ポジションの箱１が用意される。
−（２１０）計時器１０００は、コンパートメント２内にてセンタリングされた弾性パッド６の上及び／又は下の箱１のトレー３０のコンパートメント２内に、その弾性パッド６の第２の開口８がメイン開口７と整列しているように配置される。
−（２２０）箱１の蓋１０が閉じられ、これによって、各弾性パッド６が圧縮され、計時器１０００が底部３に直接的又は間接的に押し付けられる。
−（２３０）箱１が空間における様々なポジションにて操作される。
−（２４０）これらの各ポジションにおいて、センサー１０２及び／又は工具１０３がメイン開口７を通して挿入される。
−（２５０）計時器１０００の少なくとも１つのテスト及び／又は時間合わせのオペレーションが、このセンサー１０２及び／又は工具１０３によって行われる。
【００５７】
特に、このデバイス１００は、箱１を操作するために実装される。
【００５８】
特に、このデバイス１００は、異なるテスト及び／又はクロノメーターの時間合わせのポジションにて箱１を操作するために実装され、各ポジションにおいて、計時器１０００のテスト及び／又は時間合わせが行われる。
【００５９】
また、特に、各計時器が同じ箱１の１つのコンパートメント２内に収容される状況で、複数の計時器１０００のテスト及び／又は時間合わせが同時に行われる。
【符号の説明】
【００６０】
１  パッケージング箱
２  コンパートメント
３  底部
５  辺縁パーティション
６  弾性パッド
７  メイン開口
８  第２の開口
１０  蓋
１１  インデックス付け要素
１２  グリップ手段
１３  アイデンティフィケーション要素
１４  貫通開口
１７  足部
２０  基礎
２１  支え面
２３  辺縁面
２５  低い辺縁リブ
２６  高い辺縁リブ
２７  通路
２８、２９、３８、３９  簡単化ポジショニング要素
３０  トレー
３２  上側リム
３５  下側リム
３６  辺縁舌部
３７  側方支持ブロック
４０  閉じ手段
４１  上側閉じ要素
４２  下側閉じ要素
１００  計時器のテスト及び／又は時間合わせのためのデバイス
１０１  マニピュレーター
１０２  センサー
１０３  工具
１１０  制御手段
４１１  下側面
４１２  上側面
１０００  計時器
【図１】
2018205303.tif 000003
【図２】
2018205303.tif 000004
【図３】
2018205303.tif 000005
【図４】
2018205303.tif 000006
【図５】
2018205303.tif 000007
【図６】
2018205303.tif 000008
【図７】
2018205303.tif 000009
【図８】
2018205303.tif 000010
【図９】
2018205303.tif 000011
【図１０】
2018205303.tif 000012
【図１１】
2018205303.tif 000013
【図１２】
2018205303.tif 000014
【図１３】
2018205303.tif 000015
【図１４】
2018205303.tif 000016
【図１５】
2018205303.tif 000017
【図１６】
2018205303.tif 000018
【図１７】
2018205303.tif 000019
【図１８】
2018205303.tif 000020
【図１９】
2018205303.tif 000021
【図２０】
2018205303.tif 000022
【図２１】
2018205303.tif 000023